【手続補正書】
【提出日】平成28年4月27日(2016.4.27)
【手続補正１】
【補正対象書類名】特許請求の範囲
【補正対象項目名】全文
【補正方法】変更
【補正の内容】
【特許請求の範囲】
【請求項１】
マルチメディア会議エンドポイント転送のためのコンピュータで実行される方法であって、前記方法が、
１つ又は複数のコンピューティング・デバイスを使用して、複数の参加者装置をホストするべくマルチメディア会議を提供することと、
前記１つ又は複数のコンピューティング・デバイスを使用して、前記複数の参加者装置のうちの１つの第１の参加者装置の前記マルチメディア会議のセッションを転送するための要求を受信することであって、前記第１の参加者装置が第１のマルチメディア会議機能を有することと、
前記１つ又は複数のコンピューティング・デバイスを使用して、ターゲット装置に関する指示を前記第１の参加者装置から受信することであって、前記ターゲット装置が前記第１の参加者装置の前記第１のマルチメディア会議機能とは異なる第２のマルチメディア会議機能を有することと、
前記１つ又は複数のコンピューティング・デバイスを使用して、前記マルチメディア会議の前記セッションを前記第１の参加者装置から前記ターゲット装置に転送することと、
を含む、方法。
【請求項２】
前記１つ又は複数のコンピューティング・デバイスを使用して、前記複数の参加者装置に前記マルチメディア会議を提供することが、
前記１つ又は複数のコンピューティング・デバイスを使用して、前記複数の参加者装置から複数のビデオ・ストリーム及び複数のオーディオ・ストリームを受信することと、
前記複数の参加者装置のそれぞれから前記複数のビデオ・ストリームのそれぞれ及び前記複数のオーディオ・ストリームのそれぞれを受信したことに応答して、前記１つ又は複数のコンピューティング・デバイスを使用して、前記複数の参加者装置のうちの１つ又は複数の参加者装置に前記複数のビデオ・ストリームのそれぞれ及び前記複数のオーディオ・ストリームのそれぞれを送信することと、
を更に含む、請求項１に記載の方法。
【請求項３】
前記第１の参加者装置の前記第１のマルチメディア会議機能が第１のオーディオ・ストリーム及び第１のビデオ・ストリームを提供することを含み、
前記ターゲット装置の前記第２のマルチメディア会議機能が第２のビデオ・ストリームを除いて第２のオーディオ・ストリームを提供することを含み、
前記１つ又は複数のコンピューティング・デバイスを使用して、前記複数の参加者装置に前記マルチメディア会議を提供することが、
前記１つ又は複数のコンピューティング・デバイスを使用して、前記ターゲット装置の前記第２のオーディオ・ストリームを受信することと、
前記１つ又は複数のコンピューティング・デバイスを使用し、前記ターゲット装置から前記第２のオーディオ・ストリームを受信したことに応答して、前記第１の参加者装置以外の前記複数の参加者装置のうちの１つ又は複数の参加者装置に前記第２のオーディオ・ストリームを送信することと、
前記１つ又は複数のコンピューティング・デバイスを使用し、前記第１の参加者装置以外の前記複数の参加者装置のうちの１つ以上から前記複数のオーディオ・ストリームのうちの１つ以上を受信したことに応答して、前記ターゲット装置に前記複数のオーディオ・ストリームのうちの１つ以上を送信することと、
を更に含む、請求項２に記載の方法。
【請求項４】
前記１つ又は複数のコンピューティング・デバイスを使用して、前記複数の参加者装置に前記マルチメディア会議を提供することが、前記１つ又は複数のコンピューティング・デバイスを使用して、最大数の前記複数の参加者装置に前記マルチメディア会議を提供することを更に含み、
前記セッションを転送するための前記要求が受信されたときに前記マルチメディア会議が前記最大数の前記複数の参加者装置に提供されている、請求項１に記載の方法。
【請求項５】
前記転送が前記複数の参加者装置のうちの他の参加者装置に対して透過的に実行される、請求項１に記載の方法。
【請求項６】
前記１つ又は複数のコンピューティング・デバイスを使用して、前記参加者装置に関連する複数のターゲット装置のリストを前記参加者装置に提供することをさらに含み、
前記ターゲット装置は、前記複数のターゲット装置の前記リストから前記参加者装置によって選択され、
前記複数のターゲット装置のそれぞれが検証されたアクティブ・エンドポイントを含む、請求項１に記載の方法。
【請求項７】
マルチメディア会議エンドポイント転送のためのコンピュータで実行される方法であって、前記方法が、
第１の装置の１つ又は複数の第１のコンピューティング・デバイスを使用して、複数の参加者装置とのマルチメディア会議のためのマルチメディア会議セッションを開始することであって、前記第１の装置が第１のマルチメディア会議機能を有することと、
前記第１の装置の前記１つ又は複数の第１のコンピューティング・デバイスを使用して、前記マルチメディア会議セッションを転送するための要求を提供することと、
前記第１の装置の前記１つ又は複数の第１のコンピューティング・デバイスを使用し、前記要求をしたことに応答して、前記マルチメディア会議セッションを転送できる複数の第２の装置のリストを受信することと、
前記第１の装置の前記１つ又は複数の第１のコンピューティング・デバイスを使用し、前記受信したことに応答して、前記複数の第２の装置のうちの１つの第２の装置の選択を提供することであって、前記第２の装置が前記第１の装置の前記第１のマルチメディア会議機能とは異なる第２のマルチメディア会議機能を有し、前記マルチメディア会議セッションは、前記第２の装置が前記マルチメディア会議セッションを引き受けることに関する前記選択に応答して、前記第１の装置から前記第２の装置に転送されることと、
を含む、方法。
【請求項８】
前記第１の装置の前記１つ又は複数の第１のコンピューティング・デバイスを使用して、前記開始したことに応答して、前記複数の参加者装置との前記マルチメディア会議に参加すること
を更に含み、
前記第１の装置の前記第１のマルチメディア会議機能が第１のビデオ・ストリームを除いて第１のオーディオ・ストリームを提供することを含み、前記第２の装置の前記第２のマルチメディア会議機能が第２のオーディオ・ストリーム及び第２のビデオ・ストリームを提供することを含む、請求項７に記載の方法。
【請求項９】
前記第１の装置の前記１つ又は複数の第１のコンピューティング・デバイスを使用して、前記複数の参加者装置との前記マルチメディア会議に参加することが、
前記第１の装置の前記１つ又は複数の第１のコンピューティング・デバイスを使用して、前記第１のオーディオ・ストリームを前記複数の参加者装置に提供することと、
前記第１の装置の前記１つ又は複数の第１のコンピューティング・デバイスを使用して、前記複数の参加者装置から複数のオーディオ・ストリームを受信することと、
を更に含む、請求項８に記載の方法。
【請求項１０】
前記第１の装置の前記１つ又は複数の第１のコンピューティング・デバイスを使用して、パケット交換網により、前記複数の参加者装置との前記マルチメディア会議をホストするホスティング装置との第１の接続を確立すること
を更に含む、請求項７に記載の方法。
【請求項１１】
前記第１の装置の前記１つ又は複数の第１のコンピューティング・デバイスを使用して、前記第２の装置との第２の接続が確立されたという指示を受信すること
を更に含む、請求項１０に記載の方法。
【請求項１２】
１つ又は複数のプロセッサと、
前記１つ又は複数のプロセッサによって実行されたときに、
複数の参加者装置をホストするべくマルチメディア会議を提供することと、
前記複数の参加者装置のうちの１つの参加者装置の前記マルチメディア会議のセッションを転送するための要求を受信することであって、前記参加者装置が第１のマルチメディア会議機能を有することと、
前記参加者装置に関連する複数のターゲット装置のリストを前記参加者装置に提供することと、
前記複数のターゲット装置のうちの１つのターゲット装置に関する指示を前記参加者装置から受信することと、
前記マルチメディア会議の前記セッションを前記参加者装置から前記ターゲット装置に転送することであって、前記ターゲット装置が前記参加者装置の前記第１のマルチメディア会議機能とは異なる第２のマルチメディア会議機能を有することと、
を前記１つ又は複数のプロセッサに実行させる命令を含むメモリと、
を含む、システム。
【請求項１３】
前記メモリが、前記１つ又は複数のプロセッサによって実行されたときに、
前記ターゲット装置との接続を確立することと、
前記ターゲット装置との前記接続を確立したことに応答して、前記参加者装置の前記マルチメディア会議の前記セッションを前記ターゲット装置に転送するための要求を提供することと、
前記セッションを転送するための前記要求を提供したことに応答して、前記マルチメディア会議の前記セッションを転送するための前記要求の受諾を前記ターゲット装置から受信することと、
を前記１つ又は複数のプロセッサに実行させる命令を更に含む、請求項１２に記載のシステム。
【請求項１４】
前記メモリが、前記１つ又は複数のプロセッサによって実行された時に、
前記ターゲット装置との前記接続を確立したことに応答して、前記ターゲット装置への前記セッションの転送が開始されたという指示を前記参加者装置に提供すること
を前記１つ又は複数のプロセッサに実行させる命令を更に含む、請求項１３に記載のシステム。
【請求項１５】
前記ターゲット装置との前記接続が公衆交換電話網により確立され、前記マルチメディア会議がパケット交換網により前記複数の装置に提供される、請求項１３に記載のシステム。